(57)【要約】【課題】ブラスト効果を向上させることができるブラスト用ドライアイスペレットおよびそのブラスト方法を提供する。【解決手段】ブラスト用ドライアイスペレットにおいて、ドライアイスペレット本体１と、ドライアイスペレット本体１の表面に形成された氷層２からなる。【選択図】図１
2018114562.tif 000002
【特許請求の範囲】
【請求項１】
ブラスト用ドライアイスペレットにおいて、
ドライアイスペレット本体と、前記ドライアイスペレット本体の表面に形成された氷層とからなることを特徴とするブラスト用ドライアイスペレット。
【請求項２】
ドライアイスペレット本体の供給源から送られてくるドライアイスペレット本体をノズルから被処理物に向けて吹き付けるドライアイスペレットのブラスト方法において、
ブラスト前に、前記ドライアイスペレット本体に水を噴霧して、前記ドライアイスペレット本体の表面に氷層を形成することを特徴とする、ドライアイスペレットのブラスト方法。
【請求項３】
ドライアイスペレット本体の供給源から送られてくるドライアイスペレット本体をノズルから被処理物に向けて吹き付けるドライアイスペレットのブラスト方法において、
ブラスト前に、前記ドライアイスペレット本体を高湿度の雰囲気中に通して、前記ドライアイスペレット本体の表面に氷層を形成することを特徴とする、ドライアイスペレットのブラスト方法。
【請求項４】
前記氷層を冷却手段により冷却することを特徴とする、請求項２または３に記載の、ドライアイスペレットのブラスト方法。
【請求項５】
前記冷却手段は、液体窒素からなっていることを特徴とする、請求項４に記載の、ドライアイスペレットのブラスト方法。
【請求項６】
前記ノズルの先端部に加速器を設けることを特徴とする、請求項２から５の何れか１つに記載の、ドライアイスペレットのブラスト方法。
【発明の詳細な説明】
【技術分野】
【０００１】
この発明は、ブラスト用ドライアイスペレットおよびそのブラスト方法、特に、ブラスト効果を向上させることができるブラスト用ドライアイスペレットおよびそのブラスト方法に関するものである。
【背景技術】
【０００２】
例えば、被処理物としての基材に付着した汚れを取り除くために、ドライアイスペレットを基材に吹き付ける方法がある。基材に吹き付けられたドライアイスペレットは、吹き付け後、短時間で昇華し、この際、容積が８００倍程度に拡大し、小爆発を起こして、基材と接触する結果、基材に付着した汚れを取り除くことができる。
【０００３】
この方法によれば、砂等を基材に吹き付けて汚れを取り除く場合に比べて、後処理の手間を軽減することができるといった利点を有している。
【０００４】
特許文献１には、上記目的で使用されるブラスト用ドライアイスペレットの一例が開示されている。以下、このドライアイスペレットを従来ドライアイスペレットという。
【０００５】
従来ドライアイスペレットは、ドライアイスペレットにエチルアルコールやメチルアルコール等のアルコール類を添加して、ドライアイスペレットの硬度を高めたものである。
【先行技術文献】
【特許文献】
【０００６】
【特許文献１】特開２０１５−１１０２６２号公報
【発明の概要】
【発明が解決しようとする課題】
【０００７】
特許文献１には、ドライアイスペレットのモース硬度が２．５から３に高まることが記載されているが、例えば、原子力発電所における建屋の壁面、または、この建屋内に設置された各種機器の内外面に付着した放射性物質を取り除く、除染作業をより確実に行なうには、ドライアイスペレットの硬度をさらに高める必要がある。すなわち、ドライアイスペレットの硬度を高めて、ブラスト効果をさらに高める必要がある。
【０００８】
従って、この発明の目的は、ブラスト効果を向上させることができるブラスト用ドライアイスペレットおよびブラスト方法を提供することにある。
【課題を解決するための手段】
【０００９】
この発明は、上記目的を達成するためになされたものであって、下記を特徴とするものである。
【００１０】
請求項１に記載の発明は、ブラスト用ドライアイスペレットにおいて、ドライアイスペレット本体と、前記ドライアイスペレット本体の表面に形成された氷層とからなることに特徴を有するものである。
【００１１】
請求項２に記載の発明は、ドライアイスペレット本体の供給源から送られてくるドライアイスペレット本体をノズルから被処理物に向けて吹き付けるドライアイスペレットのブラスト方法において、ブラスト前に、前記ドライアイスペレット本体に水を噴霧して、前記ドライアイスペレット本体の表面に氷層を形成することに特徴を有するものである。
【００１２】
請求項３に記載の発明は、ドライアイスペレット本体の供給源から送られてくるドライアイスペレット本体をノズルから被処理物に向けて吹き付けるドライアイスペレットのブラスト方法において、ブラスト前に、前記ドライアイスペレット本体を高湿度の雰囲気中に通して、前記ドライアイスペレット本体の表面に氷層を形成することに特徴を有するものである。
【００１３】
請求項４に記載の発明は、請求項２または３に記載の発明において、前記氷層を冷却手段により冷却することに特徴を有するものである。
【００１４】
請求項５に記載の発明は、請求項４に記載の発明において、前記冷却手段は、液体窒素からなっていることに特徴を有するものである。
【００１５】
請求項６に記載の発明は、請求項２から５の何れか１つに記載の発明において、前記ノズルの先端部に加速器を設けることに特徴を有するものである。
【発明の効果】
【００１６】
この発明によれば、ドライアイスペレットを、ドライアイスペレット本体と、ドライアイスペレット本体の表面に形成された氷層との二層構造にすることによって、ドライアイスペレットの硬度が高くなるとともに、ドライアイスペレットの質量が増加するので、ドライアイスペレットのブラスト効果をより向上させることができる。
【００１７】
また、この発明によれば、ブラスト前に、ドライアイスペレット本体に水を噴霧することによって、ドライアイスペレット本体の表面に氷層を形成したドライアイスペレットを被処理物に吹き付けることができる。
【００１８】
また、この発明によれば、ブラスト前に、ドライアイスペレット本体を高湿度の雰囲気中に通すことによって、ドライアイスペレット本体の表面に氷層を形成したドライアイスペレットを被処理物に吹き付けることができる。
【図面の簡単な説明】
【００１９】
【図１】この発明のドライアイスペレットを示す断面図である。
【図２】この発明の、ドライアイスペレットのブラスト方法を示す概略図である。
【発明を実施するための形態】
【００２０】
この発明のドライアイスペレットの一実施態様を、図面を参照しながら説明する。
【００２１】
図１は、この発明のドライアイスペレットを示す断面図である。
【００２２】
図１に示すように、この発明のドライアイスペレット１は、ドライアイスペレット本体２と、ドライアイスペレット本体２の表面に形成された氷層３とからなっている。
【００２３】
ドライアイスペレット本体２は、例えば、特許文献１に記載された方法により形成された直径２から３ｍｍ、長さ２から６ｍｍの円筒形状のドライアイス塊からなり、氷層３の厚さは、０．１から２ｍｍである。
【００２４】
このように、ドライアイスペレット１を、ドライアイスペレット本体２と、ドライアイスペレット本体２の表面に形成された氷層３との二層構造にすることによって、ドライアイスペレット１全体の硬度が高くなり、しかも、氷層３が形成されているので、その分、ドライアイスペレット１の質量が増加し、この結果、ドライアイスペレット１のブラスト効果をより向上させることができる。
【００２５】
ドライアイスペレット１の硬度は、氷層３の温度と厚さにより調整することができる。すなわち、氷層３の温度を低くするか、氷層３の厚さを厚くすることによって、硬度を高くすることができる。
【００２６】
氷層３の硬度をさらに高めるために、氷層を液体窒素等の冷却手段により冷却してもよい。
【００２７】
次に、ドライアイスペレット１のブラスト方法を、図面を参照しながら説明する。
【００２８】
図２は、この発明の、ドライアイスペレットのブラスト方法を示す概略図である。
【００２９】
図２において、４は、ドライアイスペレット本体２の供給源、５は、ドライアイスペレット１の吹き付けノズル、６は、吹き付けノズル５の途中に設けられた氷層形成器、７は、吹き付けノズル５の先端部に設けられた加速器、８は、ドライアイスペレット１が吹き付けられる被処理物である。
【００３０】
氷層形成器６は、吹き付けノズル５内を通過するドライアイスペレット本体２に水を噴霧する機能を有し、ドライアイスペレット本体２に水が噴霧されることによって、ドライアイスペレット本体２の表面には、瞬時に氷層３が形成される。
【００３１】
氷層形成器６としては、ドライアイスペレット本体２に水を噴霧するもの以外に、氷層形成器６内を高湿度の雰囲気に維持するものであってもよい。
【００３２】
被処理物８は、例えば、原子力発電所における建屋の放射性物質が付着した壁面、または、この建屋内に設置された各種機器の内外面（以下、壁面等という）である。壁面等を硬度が高いドライアイスペレット１の吹き付けにより僅かに研削することによって、壁面等に付着した放射性物質を取り除くことができ、除染が確実に行なえる。
【００３３】
氷層形成器６内のドライアイスペレット本体２の通過時間を調整することによって、氷層３の温度と厚さにより調整することができる。すなわち、通過時間を長くすると、氷層３の温度が低くなるとともに、氷層３の厚さを厚くすることができ、これによって、ドライアイスペレット１の硬度を高くすることができる。硬度が高くなったドライアイスペレット１は、加速器７により加速され、被処理物８に吹き付けられる。
【００３４】
以上、説明したように、この発明によれば、ドライアイスペレット１を、ドライアイスペレット本体２と、ドライアイスペレット本体２の表面に形成された氷層３との二層構造にすることによって、ドライアイスペレット１の硬度が高くなるとともに、ドライアイスペレット１の質量が増加するので、ドライアイスペレット１のブラスト効果をより向上させることができる。
【００３５】
また、この発明によれば、ブラスト前に、氷層形成器６内においてドライアイスペレット本体２に水を噴霧することによって、ドライアイスペレット本体２の表面に氷層３が形成されたドライアイスペレット１を被処理物８に吹き付けることができる。
【００３６】
また、この発明によれば、ブラスト前に、ドライアイスペレット本体２を高湿度の雰囲気に維持した氷層形成器６内に通すことによって、ドライアイスペレット本体２の表面に氷層３が形成されたドライアイスペレット１を被処理物８に吹き付けることができる。
【００３７】
また、この発明によれば、吹き付けノズル５の先端部に加速器７を設けることによって、ドライアイスペレット１を高速で被処理物８に吹き付けることができるので、ブラスト効果をさらに向上させることができる。
【符号の説明】
【００３８】
１：ドライアイスペレット
２：ドライアイスペレット本体
３：氷層
４：ドライアイスペレット本体の供給源
５：吹き付けノズル
６：氷層形成器
７：加速器
８：被処理物
【図１】
2018114562.tif 000003
【図２】
2018114562.tif 000004